(57)【特許請求の範囲】
【請求項１】
電子機器を収納する盤であって、
天板と、前記天板の周囲に設けられた第１側板と、前記第１側板の縁部に沿って前記第１側板の外方に向かって突出して設けられた第１水切り部と、が一体として形成された導電性の天井部と、
一端と他端とが離間して対向するように曲げ加工された第２側板と、前記一端に沿って前記第２側板の外方に向かって突出して設けられた第２水切り部と、前記他端に沿って前記第２側板の外方に向かって突出して設けられた第３水切り部と、が一体として形成された導電性の側壁部と、
底板と、前記底板の周囲に設けられた第３側板と、前記第３側板の縁部に沿って前記第３側板の外方に向かって突出して設けられた第４水切り部と、が一体として形成された導電性の底部と、
前記第１水切り部、前記第２水切り部、前記第３水切り部および前記第４水切り部が周囲を囲むようにして形成された開口部を閉塞するドア部と、
前記第１水切り部、前記第２水切り部、前記第３水切り部および前記第４水切り部の端部のそれぞれと前記ドア部との間に設けられた電磁波遮蔽部材と、
を備え、
前記天井は、前記底部と同一形状に成形され、
前記第１水切り部は、前記開口部から外方に向かって突出して設けられた第１折り曲げ部と前記第１折り曲げ部の端部に設けられた第１折り返し部とを含み、
前記第２水切り部は、前記開口部から外方に向かって突出して設けられた第２折り曲げ部と前記第２折り曲げ部の端部に設けられた第２折り返し部とを含み、
前記第３水切り部は、前記開口部から外方に向かって突出して設けられた第３折り曲げ部と前記第３折り曲げ部の端部に設けられた第３折り返し部とを含み、
前記第４水切り部は、第４折り曲げ部と前記第４折り曲げ部の端部に設けられた第４折り返し部とを含み、
前記第１折り返し部、前記第２折り返し部、前記第３折り返し部および前記第４折り返し部は、同一平面に含まれる面を含む盤。
【請求項２】
前記天井部は、前記側壁部の一方の縁部に嵌合され、
前記底部は、前記側壁部の他方の縁部に嵌合された請求項１記載の盤。
【請求項３】
電子機器を収納する盤の製造方法であって、
天板と、前記天板の周囲に設けられた第１側板と、前記第１側板の縁部に沿って前記第１側板の外方に向かって突出して設けられた第１水切り部と、を有し、導電性の天井部を準備する工程と、
一端と他端とが離間して対向するように曲げ加工された第２側板と、前記一端に沿って前記第２側板の外方に向かって突出して設けられた第２水切り部と、前記他端に沿って前記第２側板の外方に向かって突出して設けられた第３水切り部と、を有し、導電性の側壁部を準備する工程と、
底板と、前記底板の周囲に設けられた第３側板と、前記第３側板の縁部に沿って前記第３側板の外方に向かって突出して設けられた第４水切り部と、を有し、導電性の底部を準備する工程と、
前記第１水切り部、前記第２水切り部、前記第３水切り部および前記第４水切り部によって開口部を形成するように、前記側壁部の曲げ加工させた一方の縁部に前記底部を嵌合させ、他方の縁部に前記天井部を嵌合させる工程と、
前記第１水切り部、前記第２水切り部、前記第３水切り部および前記第４水切り部のそれぞれの端部に電磁波遮蔽部材を設ける工程と、
前記電磁波遮蔽部材を介して、前記第１水切り部〜前記第４水切り部のそれぞれと電気的に接続されるように導電性のドア部を設ける工程と、
を有し、
前記天井部は、前記底部と同一形状に成形され、
前記第１水切り部は、前記開口部から外方に向かって突出して設けられた第１折り曲げ部と前記第１折り曲げ部の端部に設けられた第１折り返し部とを含み、
前記第２水切り部は、前記開口部から外方に向かって突出して設けられた第２折り曲げ部と前記第２折り曲げ部の端部に設けられた第２折り返し部とを含み、
前記第３水切り部は、前記開口部から外方に向かって突出して設けられた第３折り曲げ部と前記第３折り曲げ部の端部に設けられた第３折り返し部とを含み、
前記第４水切り部は、第４折り曲げ部と前記第４折り曲げ部の端部に設けられた第４折り返し部とを含み、
前記第１折り返し部、前記第２折り返し部、前記第３折り返し部および前記第４折り返し部は、同一平面に含まれる平面部分をそれぞれ含む盤の製造方法。
【請求項４】
前記天井部を準備する工程、前記側壁部を準備する工程、および前記底部を準備する工程は、１枚の板金を折り曲げ加工する工程をそれぞれ含む請求項３記載の盤の製造方法。
【発明の詳細な説明】
【技術分野】
【０００１】
本発明の実施形態は、盤および盤の製造方法に関する。
【背景技術】
【０００２】
ＩＰ５４保護構造の制御盤、分電盤あるいは電源盤等の盤内に収納した電子機器を電磁波による障害から保護する場合には、盤のドアに取付けた電磁波遮断部材（ＥＭＩパッキン）と筐体の電気的接続を確保して盤の全体をシールドする必要がある。ここで、ＩＰ５４等のＩＰコードは、ＪＩＳ  Ｃ  ０９２０およびＩＥＣ  ６０５２９による規定であり、電気機械器具の外郭による保護等級の１つを表している。ＩＰコードのうちＩＰ５４においては、外来固形物の侵入および有害な影響を伴う水の浸入に対する保護等級のうち、防塵形および水の飛沫に対する保護（防沫形）を有する。
【０００３】
ＩＰ５４保護等級を維持しながら、盤の筐体とドアとの間の電気的接続を確保するために盤の筐体とドアとの間にＥＭＩパッキンを設ける場合には、キャビネットの構造が複雑になる。
【先行技術文献】
【特許文献】
【０００４】
【特許文献１】特開平８−３３０７７７号公報
【発明の概要】
【発明が解決しようとする課題】
【０００５】
実施形態は、構造を複雑にすることなく、電磁遮蔽部材を介した筐体とドアとの電気的接続を容易に行える盤および盤の製造方法を提供する。
【課題を解決するための手段】
【０００６】
実施形態に係る盤は、電子機器を収納する盤である。天板と、前記天板の周囲に設けられた第１側板と、前記第１側板の縁部に沿って前記第１側板の外方に向かって突出して設けられた第１水切り部と、が一体として形成された導電性の天井部と、一端と他端とが離間して対向するように曲げ加工された第２側板と、前記一端に沿って前記第２側板の外方に向かって突出して設けられた第２水切り部と、前記他端に沿って前記第２側板の外方に向かって突出して設けられた第３水切り部と、が一体として形成された導電性の側壁部と、底板と、前記底板の周囲に設けられた第３側板と、前記第３側板の縁部に沿って前記第３側板の外方に向かって突出して設けられた第４水切り部と、が一体として形成された導電性の底部と、前記第１水切り部、前記第２水切り部、前記第３水切り部および前記第４水切り部が周囲を囲むようにして形成された開口部を閉塞するドア部と、前記第１水切り部、前記第２水切り部、前記第３水切り部および前記第４水切り部の端部のそれぞれと前記ドア部との間に設けられた電磁波遮蔽部材と、を備える。前記天井は、前記底部と同一形状に成形される。前記第１水切り部は、前記開口部から外方に向かって突出して設けられた第１折り曲げ部と前記第１折り曲げ部の端部に設けられた第１折り返し部とを含む。前記第２水切り部は、前記開口部から外方に向かって突出して設けられた第２折り曲げ部と前記第２折り曲げ部の端部に設けられた第２折り返し部とを含む。前記第３水切り部は、前記開口部から外方に向かって突出して設けられた第３折り曲げ部と前記第３折り曲げ部の端部に設けられた第３折り返し部とを含む。前記第４水切り部は、第４折り曲げ部と前記第４折り曲げ部の端部に設けられた第４折り返し部とを含む。前記第１折り返し部、前記第２折り返し部、前記第３折り返し部および前記第４折り返し部は、同一平面に含まれる面を含む。
【発明の効果】
【０００７】
本実施形態では、開口部の周囲を取り囲む第１水切り部、第２水切り部、記第３水切り部および第４水切り部と、ドア部との間に電磁波遮蔽部材が設けられているので、筐体と、ドア部との電気的接続の構造を容易に実現することができる。
【図面の簡単な説明】
【０００８】
【図１】実施形態に係る制御盤を例示する斜視図である。
【図２】図２（ａ）は、図１のＡ−Ａ線における断面図である。図２（ｂ）は、図１のＢ−Ｂ線における断面図である。
【図３】実施形態の制御盤の一部を例示する斜視図である。
【図４】実施形態の制御盤の一部を例示する斜視図（図４（ａ））、側面図（図４（ｂ））、正面図（図４（ｃ））、および平面図（図４（ｄ））である。
【図５】実施形態の制御盤の一部を例示する斜視図（図５（ａ））、側面図（図５（ｂ））、正面図５（ｃ））、および平面図（図５（ｄ））である。
【図６】実施形態の制御盤の一部を例示する斜視図（図６（ａ））、側面図（図６（ｂ））、正面図（図６（ｃ））、および平面図（図６（ｄ））である。
【図７】実施形態の制御盤の一部を例示する斜視図（図７（ａ））、側面図（図７（ｂ））、正面図（図７（ｃ））、および平面図（図７（ｄ））である。
【図８】実施形態の制御盤の製造方法を例示する分解組立図である。
【図９】比較例の制御盤の図２（ａ）に相当する位置における断面図である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。なお、以下では、制御盤の構成等に関して説明するが、以下の構成等は、分電盤や電源盤等の盤一般に適用することができる。
【００１０】
実施形態の制御盤の構成について説明する。
図１は、本実施形態に係る制御盤を例示する斜視図である。
図２（ａ）は、図１のＡ−Ａ線における断面図である。図２（ｂ）は、図１のＢ−Ｂ線における断面図である。
図３は、実施形態の制御盤の一部である筐体およびＥＭＩパッキンを例示する斜視図である。
図４は、制御盤の一部である天井部を例示する図である。図４（ａ）は、斜視図であり、図４（ｂ）は、側面図であり、図４（ｃ）は、正面図であり、図４（ｄ）は、平面図である。
図５は、制御盤の一部である側壁部を例示する図である。図５（ａ）は、斜視図であり、図５（ｂ）は、側面図であり、図５（ｃ）は、正面図であり、図５（ｄ）は、平面図である。
図６は、制御盤の一部である底部を例示する図である。図６（ａ）は、斜視図であり、図６（ｂ）は、側面図であり、図６（ｃ）は、正面図であり、図６（ｄ）は、平面図である。
図７は、制御盤の一部であるドア部を例示する図である。図７（ａ）は、斜視図であり、図７（ｂ）は、側面図であり、図７（ｃ）は、正面図であり、図７（ｄ）は、平面図である。
図１、図２（ａ）および図２（ｂ）に示すように、本実施形態の制御盤１０は、ドア部２０と、筐体３０と、ＥＭＩパッキン７２ａ〜７２ｄと、を備える。筐体３０は、天井部４０と、側壁部５０と、底部６０と、を含む。以下では、３次元座標軸を用いて説明する。すなわち、３次元座標軸は、制御盤１０が載置される設置面に平行なＸ軸と、設置面に平行で、Ｘ軸に直交するＹ軸と、Ｘ軸およびＹ軸に直交するＺ軸と、を含む。
【００１１】
制御盤１０は、Ｘ軸方向に平行な長さ（以下、幅ともいう。）Ｗ、Ｙ軸方向に平行な長さ（以下、奥行きともいう。）ＤおよびＺ軸方向に平行な長さ（以下、高さともいう。）Ｈによって画定されるほぼ直方体の収納箱であり、この直方体の一面に幅Ｗｄおよび高さＨｄのドア部２０が設けられている。この例では、ドア部２０は、筐体３０のＸＺ平面に平行でＹ軸の負方向に表面を有する一面に取り付けられている。
【００１２】
図２（ａ）および図２（ｂ）に示すように、天井部４０、側壁部５０、および底部６０は、ドア部２０が取り付けられている面の側から、それぞれＹ軸の負方向に突出するように設けられた水切り部４４，５４，５５，６４をそれぞれ有する。
【００１３】
ＥＭＩパッキン７２ａ〜７２ｄは、水切り部４４，５４，５５，６４と、ドア部２０との間に設けられている。ＥＭＩパッキン７２ａ〜７２ｄは、たとえばゴムやシリコーン等の低弾性素材に導電性粒子粉を混合して一定の形状に成形したものである。基材が低弾性を有しているので、接続箇所に用いて圧力を加えることによって変形し、密閉性が確保される。また、ＥＭＩパッキン７２ａ〜７２ｄは、導電性粒子粉によって、導電性を有しているので接続対象物同士を電気的に接続することができる。水切り部４４，５４，５５，６４は、後述するように、筐体３０の一部として各部と一体に成形されている。水切り部４４，５４，５５，６４を含む筐体３０およびドア部２０は、いずれも導電性の材料で成形されており、ＥＭＩパッキン７２ａ〜７２ｄによって互いに電気的に接続されている。したがって、ドア部２０を閉塞することによって、制御盤１０の内部をシールドし、内部に設置された電子機器等を外部の電磁波から保護することが可能になる。
【００１４】
図３に示すように、制御盤１０は、ドア部２０を取り外して開口することができる。制御盤１０の筐体３０は、ＸＺ平面に平行で、Ｙ軸の負方向に突出するように設けられた水切り部４４，５４，５５，６４によって画定された、幅Ｗ０および高さＨ０の開口部８０を有する。筐体３０は、開口部８０が形成された面以外の５面によって画定される内部空間を有し、開口部８０を介して、電子機器等を収納し、あるいは電子機器等の操作を行う。なお、ドア部２０は、蝶番により筐体３０に取り付けられ、自由に開閉されるようにしてもよい。
【００１５】
図４に示すように、天井部４０は、天井本体４２と、水切り部４４と、を含む。天井本体４２は、ＸＹ平面にほぼ平行に設けられた方形の天板４２ａと、天板４２ａの周囲各辺にＺ軸の負方向に延びるように設けられた側板４２ｂ〜４２ｅとを有する。天井本体４２は、幅Ｗ、奥行きＤ、および高さＨ１（側面折り返し部４４ｃ，４４ｄを除く）を有する蓋状体であり、Ｚ軸の正方向に凸である。
【００１６】
水切り部４４は、側板４２ｂの開放された縁部に沿って設けられている。水切り部４４は、折り曲げ部４４ａと、折り返し部４４ｂと、側面折り返し部４４ｃ，４４ｄと、を有する。折り曲げ部４４ａは、幅Ｗ１およびＹ軸方向に平行な長さＬ１ａを有する長方形の板である。折り曲げ部４４ａは、側板４２ｂの面とほぼ垂直をなし、側板４２ｂの縁部からＹ軸の負方向に沿って延びている。折り曲げ部４４ａは、この例では、折り曲げ部４４ａの幅Ｗ１のＸ軸方向の中心が、天井本体４２の幅Ｗの中心に一致する位置に設けられている。
【００１７】
折り返し部４４ｂは、幅Ｗ１およびＺ軸方向の長さＬ１ｂを有する長方形の板である。折り返し部４４ｂは、折り曲げ部４４ａとほぼ垂直をなしている。折り返し部４４ｂは、折り曲げ部４４ａの、側板４２ｂの側とは反対側の縁部からＺ軸の正方向に沿って延びている。
【００１８】
側面折り返し部４４ｃは、折り曲げ部４４ａおよび折り返し部４４ｂとほぼ垂直をなして設けられている。側面折り返し部４４ｃは、折り曲げ部４４ａの一方の短辺の縁部からＺ軸の負方向に延びている。側面折り返し部４４ｃは、後述する側壁部５０の水切り部５４の折り曲げ部５４ａの上端部分に重畳する。側面折り返し部４４ｄは、折り曲げ部４４ａおよび折り返し部４４ｂと垂直をなして設けられている。側面折り返し部４４ｄは、折り曲げ部４４ａの他方の短辺の縁部からＺ軸の負方向に延びている。側面折り返し部４４ｄは、後述する側壁部５０の水切り部５５の折り曲げ部５５ａの上端部分に重畳する。水切り部４４の折り曲げ部４４ａ、折り返し部４４ｂ、および天井本体４２の側板４２ｂによって上方に開口した樋が形成される。水の飛沫等が付着した場合には、後述する側壁部の水切り部５４，５５とともに樋を形成し、水の飛沫等は、側面折り返し部４４ｃ，４４ｄに導かれる。
【００１９】
天井部４０は、天井本体４２および水切り部４４ともに導電性の材料、たとえば鉄やアルミニウム等で形成されている。天井本体４２を構成する各部および水切り部４４を構成する各部は、すべてほぼ同一の厚さｔｍを有する。天井部４０は、後述するように、好ましくは、１枚の板金を板金加工等によって、天井本体４２および水切り部４４を一体として成形される。
【００２０】
図５に示すように、側壁部５０は、側壁本体５２と、水切り部５４，５５と、を含む。側壁本体５２は、正面側板５２ａ，５２ｂと、側板５２ｃ〜５２ｅと、を有する。側板５２ｃ，５２ｅは、Ｙ軸に平行する長さＤ２および高さＨ２を有し、それぞれほぼ同形状の方形状の板である。側板５２ｃ，５２ｅは、ＹＺ平面にほぼ平行に対向して配置されている。側板５２ｄは、Ｘ軸に平行する長さＷ２および高さＨ２を有する方形の板である。側板５２ｄのＺ軸に沿った両方の縁部は、側板５２ｃ，５２ｅのＺ軸に沿った縁部にそれぞれほぼ垂直に接続されている。
【００２１】
正面側板５２ａ，５２ｂは、いずれもＸ軸に平行する長さＷ３および高さＨ２を有する方形の板である。正面側板５２ａ，５２ｂは、側板５２ｄに対向して配置されている。正面側板５２ａのＺ軸に沿った縁部は、側板５２ｃの、側板５２ｄが接続されている側に対向する側の縁部に接続されている。正面側板５２ｂのＺ軸に沿った縁部は、側板５２ｅの、側板５２ｄが接続されている側に対向する側の縁部に接続されている。正面側板５２ａ，５２ｂのそれぞれの幅Ｗ３の和は、側板５２ｄの幅Ｗ２よりも小さい。つまり、側壁本体５２は、正面側板５２ａ，５２ｂの側の面にスリット状の開口を有する、高さＨ２、幅Ｗ２および奥行きＤ２の方形断面の筒状体である。スリット状の開口の幅Ｗ０'は、開口部８０の幅Ｗ０にほぼ等しい。正確には、スリット状の開口の幅Ｗ０'は、スリットの両側の板材の厚さ２×ｔｍだけ広い。開口部８０の幅Ｗ０は、以下のように設定される。すなわち、Ｗ０＝Ｗ２−２×Ｗ３である。なお、スリット状の開口幅Ｗ０'は、上述した天井部４０の折り曲げ部４４ａおよび折り返し部４４ｂの幅Ｗ１に等しくなるように設定されている。
【００２２】
水切り部５４は、スリット状に開口されている正面側板５２ａの縁部に沿って設けられている。水切り部５４は、折り曲げ部５４ａと、折り返し部５４ｂと、を有する。折り曲げ部５４ａは、Ｙ軸に平行して設けられ、Ｙ軸方向の長さＬ１ａおよびＺ軸方向の長さＨ３を有する方形の板である。折り曲げ部５４ａは、正面側板５２ａの面とほぼ垂直をなして設けられている。折り曲げ部５４ａは、スリット状に開口している側壁本体５２の正面側板５２ａの縁部からＹ軸の負方向に延びている。折り曲げ部５４ａのＺ軸の正方向の端、すなわち上端は、正面側板５２ａの上端から長さＨ２ａだけ下方の位置に接続されている。折り曲げ部５４ａのＺ軸の負方向の端、すなわち下端は、正面側板５２ａの下端から長さＨ２ｂだけ上方の位置で接続されている。つまり、水切り部５４は、正面側板５２ａの上下端付近には設けられていない。水切り部５４，５５の高さＨ３は、開口部８０の高さＨ０に等しくなるように設定されている。
【００２３】
折り返し部５４ｂは、折り曲げ部５４ａとほぼ垂直をなして設けられている。折り返し部５４ｂは、Ｘ軸に平行する長さＬ１ｂおよび高さＨ３を有する長方形状の板である。折り返し部５４ｂは、折り曲げ部５４ａの、正面側板５２ａに接続された側とは反対側の縁部からＸ方向の負方向に延びている。水の飛沫等は、この樋に沿って下方へ導かれるように、水切り部５４の折り曲げ部５４ａ、折り返し部５４ｂ、および正面側板５２ａの面によって側方（Ｘ軸の負方向）に開口した樋が形成される。
【００２４】
水切り部５５は、正面側板５２ｂの開放された縁部に沿って設けられている。水切り部５５は、折り曲げ部５５ａと、折り返し部５５ｂと、を有する。折り曲げ部５５ａおよび折り返し部５５ｂの形状および寸法は、水切り部５４の折り曲げ部５４ａおよび折り返し部５４ｂの寸法と同じである。折り曲げ部５５ａは、スリット状に開口している側壁本体５２の正面側板５２ｂの縁部からＹ軸の負方向に延びている。折り返し部５５ｂは、折り曲げ部５５ａの、正面側板５２ｂとは反対側の縁部からＸ方向の正方向に延びている。水の飛沫等を下方に導くように、水切り部５５の折り曲げ部５５ａ、折り返し部５５ｂ、および正面側板５２ｂの面によって側方、つまりＸ軸の正方向に開口した樋が形成される。
【００２５】
側壁部５０は、側壁本体５２および水切り部５４，５５のいずれも鉄あるいはアルミニウム等の導電性の材料で形成されている。側壁部５０は、好ましくは天井部４０と同一の板金材料を用いて成形される。側壁本体５２および水切り部５４，５５を構成する各部は、ほぼ同一の厚さｔｍを有する。側壁部５０は、板金加工等によって側壁本体５２および水切り部５４，５５を一体として成形される。
【００２６】
後述するように、側壁部５０の上端は、Ｚ軸の正方向に凸の蓋状体である天井部４０の内側に嵌合により結合されるので、側壁部５０の幅Ｗ２は、天井部４０の幅Ｗよりも部材の厚さｔｍの分だけ狭くなる。すなわち、Ｗ１＝Ｗ−２×ｔｍである。また、側壁部５０の上端は、天井部４０の内側に天井本体４２の側板４２ｂ〜４２ｅの高さＨ１まで挿入される。また、天井部４０の水切り部４４によって、開口部８０の上部が画定されるので、側壁部５０の上端から水切り部５４，５５の上端までの長さＨ２ａは、Ｈ１と等しいか短い必要がある。つまり、Ｈ２ａ≦Ｈ１となる。
【００２７】
図６に示すように、底部６０は、底本体６２と、水切り部６４と、を含む。底本体６２は、ＸＹ平面にほぼ平行で方形状の底板６２ａと、底板６２ａの周囲各辺にＺ軸の正方向に延びるように設けられた側板６２ｂ〜６２ｅとを有する。底板６２ａの形状および寸法は、この例では、天井部４０の天板４２ａと同一である。側板６２ｂ〜６２ｅも、天井部４０の側板４２ｂ〜４２ｅと同一である。すなわち、底本体６２は、幅Ｗおよび奥行きＤおよび高さＨ１の蓋状体であり、Ｚ軸の負方向に凸である。
【００２８】
水切り部６４は、側板６２ｂの開放された縁部に沿って設けられている。水切り部６４は、折り曲げ部６４ａと、折り返し部６４ｂと、側面折り返し部６４ｃ，６４ｄと、を有する。折り曲げ部６４ａ、折り返し部６４ｂ、および側面折り返し部６４ｃ，６４ｄの形状および寸法は、それぞれ天井部４０の水切り部４４の折り曲げ部４４ａ、折り返し部４４ｂ、および側面折り返し部４４ｃ，４４ｄと同一である。底部６０の水切り部６４は、側板６２ｂと構成する樋の開口する方向がＺ軸の負方向に向くように設けられている。すなわち、折り曲げ部６４ａは、側板６２ｂの縁部からＹ軸の負方向に延びている。また、折り曲げ部６４ａは、折り曲げ部６４ａの幅Ｗ１方向の中心が、底本体６２の幅Ｗの中心に一致し、天井部４０の水切り部の折り曲げ部４４ａの幅Ｗ１方向の中心とも一致するように設けられている。折り返し部６４ｂは、折り曲げ部６４ａの、側板６２ｂの側とは反対側の縁部からＺ軸の負方向に延びている。側面折り返し部６４ｃは、折り曲げ部６４ａの一方の短辺の縁部からＺ軸の正方向に延びている。側面折り返し部６４ｄは、折り曲げ部６４ａの他方の短辺の縁部からＺ軸の正方向に延びている。天井部４０の水切り部４４に付着した水の飛沫等は、側壁部５０の水切り部５４を通ってそのまま設置面に放出されるか、水の飛沫等の一部は底部６０の水切り部６４を通って設置面に放出される。
【００２９】
底部６０は、天井部４０および側壁部５０と同様に導電性の材料、たとえば鉄あるいはアルミニウム等によって形成されている。底部６０を構成する各部および水切り部６４を構成する各部は、すべてほぼ同一の厚さｔｍを有する。底部６０は、好ましくは板金加工等によって、底本体６２および水切り部６４を一体として成形される。
【００３０】
側壁部５０の下端が、Ｚ軸の負方向に凸の蓋状体である底部６０の内側に嵌合により結合される。底部の幅Ｗと側壁部の幅Ｗ１との関係は、天井部４０の幅Ｗと側壁部の幅Ｗ１と同じである。また、底部６０の内側に側壁部５０の下端が挿入され、底部６０の水切り部６４によって、開口部８０の下部が確定されるので、側壁部５０の下端から水切り部５４，５５の下端までの長さＨ２ｂは、Ｈ１と等しいか短い必要がある。つまり、Ｈ２ｂ≦Ｈ１となる。
【００３１】
天井部４０、側壁部５０および底部６０のそれぞれの水切り部４４，５４，５５，６４の折り曲げ部４４ａ，５４ａ，５５ａ，６４ａのＹ方向の長さＬ１ａは、等しくなるように設定されている。そのため、各折り曲げ部４４ａ，５４ａ，５５ａ，６４ａからほぼ垂直に屈曲して設けられている各折り返し部４４ｂ，５４ｂ，５５ｂ，６４ｂがなす平面は、ＸＺ平面にほぼ平行な同一平面を形成している。折り返し部４４ｂ，５４ｂ，５５ｂ，６４ｂの各面には、ＥＭＩパッキン７２ａ，７２ｂ，７２ｃ，７２ｄがそれぞれ貼着される。
【００３２】
図７に示すように、ドア部２０は、ドア面部２２ａと、側板２２ｂ〜２２ｅと、を有する。ドア面部２２ａは、幅Ｗｄおよび高さＨｄの長方形の板である。側板２２ｂ〜２２ｅは、ドア面部２２ａの周囲各辺にＹ軸の正方向に延びている。側板２２ｂ〜２２ｅのＹ軸に平行する長さＤｄは、それぞれ同一であり、長さＤｄは、各水切り部４４，５４，５５，６４の折り曲げ部４４ａ，５４ａ，５５ａ，６４ａの長さＬ１ａよりも短く設定されている。折り曲げ部４４ａ，５４ａ，５５ａ，６４ａとドア面部２２ａのＹ軸の正方向側の面）との間には、ＥＭＩパッキン７２ａ〜７２ｄが設けられるので、ＥＭＩパッキン７２ａ〜７２ｄによって、各水切り部４４，５４，５５，６４とドア部２０との電気的な接続を確保するために、長さＤｄは、折り曲げ部４４ａ，５４ａ，５５ａ，６４ａの長さとＥＭＩパッキン７２ａ〜７２ｄの厚さとの和よりも短く設定される。
【００３３】
ドア部２０は、導電性の材料、たとえば鉄あるいはアルミニウム等によって形成される。
【００３４】
ドア部２０は、たとえば厚さｔｍの板金を板金加工によって形成される。この場合には、ドア部２０の幅Ｗｄおよび高さＨｄは、筐体３０の開口部８０の幅Ｗ０および高さＨ０、ならびに水切り部４４，５４，５５，６４との間では、次のような関係がある。すなわち、ドア部２０の幅Ｗｄは、開口部の幅Ｗ０と水切り部５４，５５のそれぞれの折り返し部５４ｂ，５５ｂのＸ軸方向の長さＬ１ｂとの和よりも大きい。より正確には、ドア部２０の側板２２ｂ，２２ｄの厚さ２×ｔｍが考慮されるので、Ｗｄ≧Ｗ０＋２×Ｌ１ｂ＋２ｔｍとなる。同様に、ドア部２０の高さＨｄは、開口部の高さＨ０と上下の水切り部４４，６４の折り返し部４４ｂ，６４ｂの長さＬ１ｂ、厚さｔｍとの間で、Ｈｄ≧Ｈ０＋２×Ｌ１ｂ＋２×ｔｍの関係を満たすように設定される。
【００３５】
上述の例では、開口部８０が、制御盤１０の正面のほぼ中央に設けられるように、水切り部４４，５４，５５，６４の位置を設定した。水切り部４４，５４，５５，６４の位置を適切に設定することによって、開口部８０の位置を任意に設定することができるのはいうまでもない。
【００３６】
天井部４０、側壁部５０、底部６０およびドア部２０を形成する材質は、同一の材料であってもよいが、異なる材料であってもよい。これら各部の表面および裏面の一方または両方には、さび止めや美観を目的として塗装を施すようにしてもよい。なお、塗装をほどこす場合であっても、天井部４０、側壁部５０および底部６０の接続部分については、電気的接続が確保されている。
【００３７】
次に、本実施形態の制御盤１０の製造方法について説明する。
図８は、制御盤１０の製造方法を例示する分解組立図である。
図８に示すように、制御盤１０の製造方法では、天井部４０と、側壁部５０と、底部６０と、ドア部２０とが用意される。
【００３８】
天井部４０、側壁部５０、底部６０、およびドア部２０は、それぞれ１枚の板金を用いて、周知の板金加工技術を用いて成形される。天井部４０においては、天井本体４２と水切り部４４とが一体として成形される。側壁部５０および底部６０についても、側壁本体５２および底本体６２と、水切り部５４，５５および水切り部６４とが、それぞれ一体として成形される。
【００３９】
上述のように成形された底部６０の側板６２ｂ〜６２ｅの内側に側壁部５０の下端を嵌合させ、ボルト等の締め付け具や溶接等、あるいはこれらを組み合わせて互いに接続させる。
【００４０】
側壁部５０の上端に天井部４０の側板４２ｂ〜４２ｅの内側を嵌合させ、底部６０と同様にボルト締め付け等周知の接続技術によって互いに接続する。
【００４１】
水切り部４４，５４，５５，６４の折り返し部４４ｂ，５４ｂ，５５ｂ，６４ｂにＥＭＩパッキン７２ａ〜７２ｄをそれぞれ貼着させる。ＥＭＩパッキン７２ａ〜７２ｄの貼着には、接着剤等の周知の接続技術を用いることができる。
【００４２】
水切り部４４，５４，５５，６４によって形成された開口部８０を介して電子機器等を収納し、ドア部２０によって、折り返し部４４ｂ，５４ｂ，５５ｂ，６４ｂに貼着されたＥＭＩパッキン７２ａ〜７２ｄを介して閉塞する。
【００４３】
本実施形態の制御盤１０について、比較例の制御盤と対比しつつ作用および効果について説明する。
図９は、比較例の制御盤の図２（ａ）に相当する位置における断面図である。
図９に示すように、比較例の制御盤は、天板１４２ａと、天井側の側板１４２ｂと、底板１６２ａと、底板側の側板１６２ｂと、ドア部１２０と、を有している。ドア部１２０は、裏面の周縁に設けられたパッキン１７４ａ，１７４ｂによって天井側の側板１４２ｂおよび底板側の側板１６２ｂとの密閉が確保される。パッキン１７４ａ，１７４ｂは、絶縁性の材料によって形成されており、パッキン１７４ａ，１７４ｂによっては、天板１４２ａ等を含む筐体と、ドア部１２０との電気的接続は確立されていない。そこで、制御盤は、側板１４２ｂ，１６２ｂに導電性の接続部材１４４ａ，１５５ａ，１６４ａが設けられている。また、ドア部１２０の裏面の接続部材１４４ａ，１５５ａ，１６４ａの先端の位置に対応する位置に、ＥＭＩパッキン１７２ａ，１７２ｃ，１７２ｄがドア部１２０との電気的接続をとりつつ設けられている。ドア部１２０を閉じた場合に、接続部材１４４ａ，１５５ａ，１６４ａの先端部分がＥＭＩパッキン１７２ａ，１７２ｃ，１７２ｄに接触することによって、接続部材１４４ａ，１５５ａ，１６４ａと、ＥＭＩパッキン１７２ａ，１７２ｃ，１７２ｄの電気的接続がとられ、これらを介して、制御盤の筐体とドア部１２０との電気的接続がはかられ、内部の電子機器を外部の電磁波から保護する。この比較例の制御盤では、筐体とは別部材の接続部材１４４ａ，１５５ａ，１６４ａを用いてＥＭＩパッキン１７２ａ，１７２ｃ，１７２ｄとの接続を行う必要があるため、電磁妨害保護のための構造が複雑になる。また、比較例の制御盤では、電磁妨害保護のための筐体とドア部１２０との接続経路と、筐体とドア部１２０とを密着させることによるＩＰ５４保護の実現手段とが別々になっているので、構造がより複雑になっている。
【００４４】
これに対して、本実施形態の制御盤１０は、開口部８０を取り囲む水切り部４４，５４，５５，６４を含み、水切り部４４，５４，５５，６４の折り返し部４４ｂ，５４ｂ，５５ｂ，６４ｂに貼着されたＥＭＩパッキン７２ａ〜７２ｄを備えている。そのため、ＥＭＩパッキン７２ａ〜７２ｄを介して、筐体３０とドア部２０との電気的接続が確保されるので、電磁妨害保護のための構造を簡易に実現することができる。
【００４５】
また、水切り部４４，５４，５５，６４が開口部８０の周縁に形成されているので、筐体３０の側板部分とで構成される樋によって、水の飛沫等を下方に導いて、飛沫による水分等が制御盤１０の内部に浸入することを防止する。水切り部４４，５４，５５，６４は、開口部８０に対して外方に向かって形成された折り返し部４４ｂ，５４ｂ，５５ｂ，６４ｂを有しているので、外部の塵等の異物の侵入を阻止することができる。したがって、ＩＰ５４保護のための閉塞構造も簡易に実現することができる。
【００４６】
水切り部４４，５４，５５，６４によって防塵、防滴効果が得られることによって、ＥＭＩパッキン７２ａ〜７２ｄがこれらの環境にさらされにくくなり、浸水等による劣化が防止され、ＥＭＩパッキン７２ａ〜７２ｄの寿命を長くすることができる。
【００４７】
また、本実施形態の制御盤１０では、板金加工等を用いて、水切り部４４，５４，５５，６４を、天井部４０、側壁部５０および底部６０と一体で同時に成形することができるので、製造がより容易になる。天井部４０、側壁部５０、および底部６０について、それぞれ１枚の板金から任意の位置に水切り部を形成することができるので、制御盤１０の開口部８０を適切かつ任意に設定することが容易である。
【００４８】
以上説明した実施形態によれば、構造を複雑にすることなく、電磁遮蔽部材を介した筐体とドアとの電気的接続を容易に行える制御盤および制御盤の製造方法を実現することができる。
【００４９】
以上、本発明の実施形態について説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００５０】
１０  制御盤、２０  ドア部、２２ａ  ドア面部、２２ｂ〜２２ｅ  側板、３０  筐体、４０  天井部、４２  天井本体、４２ａ  天板、４２ｂ〜４２ｅ  側板、４４  水切り部、４４ａ  折り曲げ部、４４ｂ  折り返し部、４４ｃ，４４ｄ  側面折り返し部、５０  側壁部、５２  側壁本体、５２ａ，５２ｂ  正面側板、５２ｃ〜５２ｅ  側板、５４，５５  水切り部、５４ａ，５５ａ  折り曲げ部、５４ｂ，５５ｂ  折り返し部、６０  底部、６２  底本体、６２ａ  底板、６２ｂ〜６２ｅ  側板、６４  水切り部、６４ａ  折り曲げ部、６４ｂ  折り返し部、６４ｃ，６４ｄ  側面折り返し部、７２ａ〜７２ｄ  ＥＭＩパッキン、８０  開口部
【図１】
0006425248.tif 000002
【図２】
0006425248.tif 000003
【図３】
0006425248.tif 000004
【図４】
0006425248.tif 000005
【図５】
0006425248.tif 000006
【図６】
0006425248.tif 000007
【図７】
0006425248.tif 000008
【図８】
0006425248.tif 000009
【図９】
0006425248.tif 000010